(57)【要約】【課題】浴槽の排水構造において防水パン上に水が溜まるのを防止する。【解決手段】防水パン１１と、排水口１２ｂを開設した浴槽１２と、防水パン１１の下に配置され、防水パン１１に水密状態に取付けられて防水パン１１の開口部１１ｂを覆う排水器具１３と、浴槽１２の排水口１２ｂを挿通して下方へ延びる排水口具１６と、排水器具１３に外周縁部１５ｂを接合すると共に内側に開口部１５ａを開設した蓋具１５と、排水口具１６の下半側に螺着して蓋具１５の開口部１５ａの下方周縁部に当接する螺子具１７とを備える。排水口具１６は、蓋具１５の開口部１５ａを挿通する。蓋具１５は、外周縁部１５ｂと内側の開口部１５ａの間を可撓性及び止水性の有る輪状部１５ｃで形成すると共に、開口部１５ａの周縁部を、浴槽１２の排水口１２ｂの下方周縁部１２ｃと螺子具１７とで挟圧保持させて螺子具１７へ水密状態に接合してある。【選択図】図２
2009293305.tif 000002
【特許請求の範囲】
【請求項１】
底部に開口部を開設した防水パンと、防水パンの上に配置され排水口を開設した浴槽と、防水パンの下に配置され、防水パンに水密状態に取付けられて防水パンの開口部を覆う排水器具と、浴槽の排水口を挿通して下方へ延びる排水口具と、排水器具に外周縁部を接合すると共に内側に開口部を開設した蓋具と、排水口具の下端側に螺着して蓋具の開口部の下方周縁部に当接する螺子具とを備えた浴槽の排水構造において、前記排水口具は、前記蓋具の開口部を挿通し、前記蓋具は、外周縁部と開口部の間を可撓性及び止水性の有る輪状部で形成すると共に、開口部の周縁部を、浴槽の排水口の下方周縁部と螺子具とで挟圧保持させて螺子具へ水密状態に接合したことを特徴とする浴槽の排水構造。
【請求項２】
前記防水パンへ前記排水器具を取り付ける取付具を前記防水パンの上方に露出させ、前記蓋具の外周縁部を、取付具に螺着した蓋押圧具と取付具とで挟圧保持させて取付具へ水密状態に当接して、前記排水器具に接合した請求項１記載の浴槽の排水構造。
【請求項３】
前記取付具の内側面から前記螺子部へ向かって張出片を張出し、前記螺子具の外側面から前記取付具へ向かって係止片を張出し、張出片に係止片を係止させるようにして螺子具の回転を阻止させるようにした請求項２記載の浴槽の排水構造。
【発明の詳細な説明】
【技術分野】
【０００１】
本発明は、防水パンの上に配置した浴槽の排水構造に関する。
【背景技術】
【０００２】
従来、浴槽の排水構造は、図５に示す如く、底部に開口部を開設した防水パン１０１と、防水パン１０１の下に配置され防水パン１０１の開口部に嵌着したパッキン１１１に取付具１０２で水密に接合した排水器具１０３と、防水パン１０１の上に配置され排水口１０４ａを開設した浴槽１０４と、取付具１０２に外周縁部が水密に接合され内側に挿通口を開設した蓋具１０５と、蓋具１０５の挿通口に挿通した一方の接合用筒部１０６ａと一方の接合用筒部１０６ａの下端側から外側に張出した鍔部１０６ｂとを有し、蓋具１０５の挿通口の周縁部に下方からパッキン１１２を介して鍔部１０６ｂを水密に当接した螺子具１０６と、浴槽１０４の排水口１０４ａへ他方の接合用筒部１０７ａを挿通させて浴槽１０４にパッキン１１３を介して水密に接合すると共に、他方の接合用筒部１０７ａの下端寄りに設けた雌ネジ部１０７ａ−１を螺子具１０６の一方の接合用筒部１０６ａの上端寄りに設けた雄ネジ部１０６ａ−１に螺合した排水口具１０７とを備えたものである（特許文献１）。
【特許文献１】特開２００６−２９９７２０号公報
【発明の開示】
【発明が解決しようとする課題】
【０００３】
しかし、従来の排水構造は、下記（１）〜（３）の問題があった。
（１）従来の排水構造は、排水が螺子具１０６の一方の接合用筒部１０６ａに設けた雄ネジ部１０６ａ−１と排水口具１０７の他方の接合用筒部１０７ａに設けた雌ネジ部１０７ａ−１との螺合箇所から防水パン１０１上へ漏水する可能性があった。
（２）従来の排水構造は、螺子具１０６に排水口具１０７を螺合して両パッキン１１２, １１３を水密状態に挟圧するときに生じる挟圧力が、蓋具１０５、取付具１０２、防水パン１０１及び浴槽１０４へ伝達して、これら蓋具１０５、取付具１０２、防水パン１０１及び浴槽１０４に生じる反力と釣り合うように、力の伝達経路ができる。従来の排水構造は、この力の伝達経路を形成する蓋具１０５等の曲げ剛性を大きくして、確実に力を伝達させるようにしてある。そのため、従来の排水構造は、設置されている浴槽１０４に組立中の修正等で位置ズレが若干生じたとき、力の伝達経路の寸法に変化が生じて、両パッキン１１２, １１３の水密性を低下させて漏水の原因となったり、最悪の場合に蓋具１０５等を破損させる原因となることがある。
（３）従来の排水構造は、蓋具１０５と浴槽１０４の排水口１０４ａの周縁部１０４ｂとの間に空間Ｓを確保してあるので、上下寸法が長くなり、建築物の上層階に設置される浴室の狭い床下空間での組立てがし難くなる問題がある。
【０００４】
本発明は、上記（１）〜（３）の問題を解決できる浴槽の排水構造の提供を目的とする。
【課題を解決するための手段】
【０００５】
上記問題を解決するために請求項１記載の本発明が採用した手段は、底部に開口部を開設した防水パンと、防水パンの上に配置され排水口を開設した浴槽と、防水パンの下に配置され、防水パンに水密状態に取付けられて防水パンの開口部を覆う排水器具と、浴槽の排水口を挿通して下方へ延びる排水口具と、排水器具に外周縁部を接合すると共に内側に開口部を開設した蓋具と、排水口具の下端側に螺着して蓋具の開口部の下方周縁部に当接する螺子具とを備えた浴槽の排水構造において、前記排水口具は、前記蓋具の開口部を挿通し、前記蓋具は、外周縁部と開口部の間を可撓性及び止水性の有る輪状部で形成すると共に、開口部の周縁部を、浴槽の排水口の下方周縁部と螺子具とで挟圧保持させて螺子具へ水密状態に接合したことを特徴とする浴槽の排水構造である。
【０００６】
排水器具に対する蓋具の止水性を確実にするために請求項２記載の本発明が採用した手段は、前記防水パンへ前記排水器具を取り付ける取付具を前記防水パンの上方に露出させ、前記蓋具の外周縁部を、取付具に螺着した蓋押圧具と取付具とで挟圧保持させて取付具へ水密状態に当接して、前記排水器具に接合した請求項１記載の浴槽の排水構造である。
【０００７】
螺子具に排水口具を緊締又は緊締解除するときに螺子具を共回りさせないようにするために請求項２記載の本発明が採用した手段は、前記取付具の内側面から前記螺子部へ向かって張出片を張出し、前記螺子具の外側面から前記取付具へ向かって係止片を張出し、張出片に係止片を係止させるようにして螺子具の回転を阻止させるようにした請求項２記載の浴槽の排水構造である。
【発明の効果】
【０００８】
請求項１記載の本発明に係る浴槽の排水構造は、螺子具と排水口具の間の螺合箇所へ浸入した排水の移動を、螺子具と蓋具の間のシール部で阻止して、防水パン上への漏水を防止することができる。又、前記浴槽の排水構造は、螺子具に排水口具を緊締するにより、螺子具と浴槽の排水口の下方周縁部とで蓋具の挿通口の周縁部を挟圧する力の伝達経路が、排水口具、螺子具、蓋具及び浴槽で形成されている。そのため、本発明排水構造は、設置されている浴槽に組立中の修正等で位置ズレが若干生じたとしても、上記力の伝達経路の寸法に変化を生じさせないため、蓋具と蓋具との間の水密性を低下させることもなく止水を確保することができると共に、浴槽の位置ズレに相当する寸法だけ蓋具の可撓性のある輪状部が変形するので、蓋具等を破損させることもない。更に、前記浴槽の排水構造は、螺子具と浴槽の排水口の下方周縁部で蓋具の挿通口の周縁部を直接に挟圧することで、螺子具と浴槽の排水口の下方周縁部との間に蓋具の厚み寸法以上のスペースを形成することがないため、蓋具と浴槽の排水口の下方周縁部との間に背丈の大きなスペースを形成する従来の構造に比べて上下寸法を短くできる。これにより、建築物の上層階に設置される床下空間での組立てをし易くできる。
【０００９】
請求項２記載の本発明に係る浴槽の排水構造は、蓋具の外周縁部が取付具の鍔部と蓋押圧具とで挟圧されることで、取付具に対する蓋具の外周縁部の水密性を確実にすることができる。
【００１０】
請求項３記載の本発明に係る浴槽の排水構造は、螺子具の一方の接合用筒部に設けた雌ネジ部に排水口具の他方の接合用筒部の下端側に設けた雄ネジ部を緊締又は緊締解除するときに螺子具の張出片が取付具の張出片に当接して螺子具を共回りさせないので、組立て易くできる。
【発明を実施するための最良の形態】
【００１１】
本発明に係る浴槽の排水構造（以下、「本発明排水構造」という。）を図面に示す実施の形態に基づいて説明する。
【００１２】
図１〜図４は本発明排水構造の実施の形態を示すものである。図１は、本発明排水構造を備えた浴室の要部を示す正面図であって浴槽及び防水パンの一部を断面してある。図２は、主要部を拡大した正面断面図であり、排水口具の雄ネジ部を螺子具の雌ネジ部に緊締した状態を示すものである。図３は、主要部を拡大した正面断面図であり、排水口具の雄ネジ部と螺子具の雌ネジ部との緊締を解除した状態を示すものである。図４は、本発明排水構造を構成する構成部材（上から順に、排水口具１６、止水パッキン２１、浴槽１２、蓋押圧具１８、蓋具１５、螺子具１７、取付具１４、防水パン１１、止水パッキン２２、排水器具１３）をそれぞれ分離して示した正面断面図である。
【００１３】
本発明排水構造１０は、浴室１に備えられ、底部に開口部１１ｂを開設した防水パン１１と、防水パン１１の上に配置され排水口１２ｂを開設した浴槽１２と、防水パン１１の下に配置され、防水パン１１に水密状態に取付けられて防水パン１１の開口部１１ｂを覆う排水器具１３と、浴槽１２の排水口１２ｂを挿通して下方へ延びる排水口具１６と、排水器具１３に外周縁部１５ｂを接合すると共に内側に開口部１５ａを開設した蓋具１５と、排水口具１６の下半側に螺着して蓋具１５の開口部１５ａの下方周縁部に当接する螺子具１７とを備えている。本発明排水構造１０の特徴は排水口具１６と蓋具１５にあり、排水口具１６は、蓋具１５の開口部１５ａを挿通し、蓋具１５は、外周縁部１５ｂと内側の開口部１５ａの間を可撓性及び止水性の有る輪状部１５ｃで形成すると共に、開口部１５ａの周縁部を、浴槽１２の排水口１２ｂの下方周縁部１２ｃと螺子具１７とで挟圧保持させて螺子具１７へ水密状態に接合してある。
【００１４】
前記防水パン１１は、ＦＲＰ等で成形され、浴槽１２に取付けられた循環口具（図示省）等から漏水が万が一あったしても受け止めて、躯体床面（図示省）へ漏水させないようにしてある。前記浴槽１２は、ＦＲＰ等で成形され、防水パン１１の上に浴槽脚部（図示省）を載置して所定位置に配置され、防水パン１１と浴槽底部１２ａとの間に所定の間隙を形成してある。
【００１５】
前記排水器具１３は、合成樹脂素材等から成形され、雌ネジ部１３ａ−１を設けた筒部１３ａと、筒部１３ａの上端側から外側に張出した鍔部１３ｂとを備え、排水管１９を延設してある。防水パン１１に排水器具１３を取り付けるための取付具１４は、合成樹脂素材等から成形され、下半寄りに雄ネジ部１４ａ−１を設けた筒部１４ａと、筒部１４ａの上端側から外側に張出した鍔部１４ｃと、鍔部１４ｃの外周側から上方へ突設した雌ネジ部１４ｂ（蓋具１５を取り付けるためのもの）とを備えている。防水パン１１に対する排水器具１３の取り付けは、防水パン１１の段落とした開口部１１ｂの周縁部１１ａに断面コ字状の止水パッキン２２を嵌着させ、排水器具１３に螺着した取付具１４を緊締することで、止水パッキン２２を介して開口部１１ｂの周縁部１１ａを、排水器具１３の鍔部１３ｂと取付具１４の鍔部１４ｃとで挟圧保持し、排水器具１３の雌ネジ部１３ａ−１と取付具１４の雄ネジ部１４ａ−１との隙間から漏れ出そうとする水を止水パッキン２２で止水するようにしてある。
【００１６】
前記排水口具１６は、金属素材等から成形され、浴槽１２の槽内側から排水口１２ｂへ挿通した接合用筒部１６ａと、接合用筒部１６ａの上端側から突設した鍔部１６ｂとを備え、接合用筒部１６ａに雄ネジ部１６ａ−１を設け、浴槽１２の排水口１２ｂの上方周縁部に環状の止水パッキン２１を介して鍔部１６ｂを当接させてある。排水口具１６は、槽内側から回転操作することで、後述する螺合した螺子具１７を上方へ持ち上げ、鍔部１６ｂと持ち上げられた螺子具１７の鍔部１７ｂとで浴槽１２の排水口１２ｂの開口周縁部を止水パッキン２１を介して挟圧して、鍔部１６ｂと浴槽排水口１２ｂの周縁部との間を止水パッキン２１で止水してある。
【００１７】
前記螺子具１７は、合成樹脂素材等から成形され、内側面に雌ネジ部１７ａ−１を設けた接合用筒部１７ａと、接合用筒部１７ａの上端側から外側に張出した鍔部１７ｂとを備え、排水器具１３及び取付具１４の内側の水受け空間内に配置された状態で排水口具１６に螺合している。
【００１８】
前記蓋具１５は、可撓性及び止水性の有るゴム素材又は合成樹脂素材からドーナツ板状に成形され、外周縁部１５ｂと開口部１５ａとの間を輪状部１５ｃを形成してある。排水器具１３に対する蓋具１５の取り付けは、外周縁部１５ｂを取付具１４の鍔部１４ｃに当接させて、取付具１４の雌ネジ部１４ｂに螺着した蓋押圧具１８と取付具１４の鍔部１４ｃとで外周縁部１５ｂを挟圧保持させ、外周縁部１５ｂと取付具１４の鍔部１４ｃとの当接箇所を止水してある。蓋押圧具１８は、合成樹脂素材やステンレススチール素材等でドーナツ板状に成形され、外側に雄ネジ部１８ｂを設けると共に、内側の開口部１８ａの周縁等に回転操作用係合部（図示略）を設け、回転操作用係合部に回転用工具を係合させた状態で確実に回転操作できるようにしてある。なお、蓋押圧具１８を回転させて緊締するときに蓋具１５を連れ回りさせないようにするため、蓋具１５の外周縁部１５ｂと蓋押圧具１８との間に座金（図示略）を介在させることもある。蓋具１５の開口部１５ａの周縁部は、浴槽内側から排水口具１６を回転操作することで螺進する螺子具１７を上方へ持ち上げて、前述の如く、浴槽１２の排水口１２ｂの下方周縁部１２ｃと螺子具１７とで挟圧保持して、螺子具１７へ水密状態に接合させてシール部を形成し、排水口具１６と螺子具１７との螺合箇所へ侵入した水をシール部で止水するようにしてある。
【００１９】
本発明排水構造１０は、螺子具１７に排水口具１６を緊締又は緊締解除するときに螺子具１７を共回りさせないようにするために、取付具１４の筒部１４ａの内側面から螺子具１７の接合用筒部１７ａに向かって張出した複数の張出片１４ａ−２と、螺子具１７の接合用筒部１７ａの外周面から取付具１４に向かって張出した外側に張出した複数の係止片１７ａ−２とを備え、螺子具１７が回転しようとするときに係止片１７ａ−２を張出片１４ａ−２に係止させてその回転を阻止するようになっている。
【００２０】
本発明排水構造１０は、螺子具１７が排水器具１３の下側へ落下するのを防止するために、取付具１４の張出片１４ａ−２に内接する仮想内接円の半径を螺子具１７の鍔部１７ｂの外縁の半径よりも小さくし、螺子具１７と排水口具１６の両ネジ部１７ａ−１, １６ａ−１を螺合させる前の分離状態のときに、螺子具１７の鍔部１７ｂを取付具１４の張出片１４ａ−２の上端に載置して落下を阻止することで、螺子具１７に対する排水口具１６の螺合をし易くしてある。
【００２１】
本発明排水構造１０を得るための組立は、次の手順で行われる。
（第1 工程）防水パン１１の開口部１１ｂに止水パッキン２２を嵌着した後、排水器具１３を防水パン１１の開口部１１ｂの下に配置し、取付具１４の筒部１４ａを防水パン１１の開口部１１ｂに挿通し取付具１４の筒部１４ａと排水器具１３の両ネジ部１４ａ−１, １３ａ−１を螺着して緊締することで、取付具１４と防水パン１１との間、並びに、排水器具１３と防水パン１１との間を水密状態に接合する。
【００２２】
（第２工程）次に、螺子具１７の鍔部１７ｂを取付具１４の張出片１４ａ−２に載置した後、蓋具１５の外周縁部１５ｂを取付具１４の鍔部１４ｃ上に載置し、蓋押圧具１８と取付具１４との両ネジ部１８ｂ, １４ｂを螺着して緊締することで、蓋具１５の外周縁部１５ｂを取付具１４に水密状態で接合する。
【００２３】
（第３工程）続いて、浴槽１２を防水パン１１の上方に設置した後、排水口具１６の接合用筒部１６ａを、環状の止水パッキン２１、浴槽１２の排水口１２ｂ、蓋押圧具１８の開口部１８ａ及び蓋具１５の開口部１５ａへこの順で挿通して螺子具１７に螺合し、その後に、両ネジ部１６ａ−１, １７ａ−１を緊締することで、浴槽１２と蓋具１５との間にシール部を形成すると共に蓋具１５と螺子具１７の鍔部１７ｂとの間にシール部を形成し、排水口具１６と浴槽１２とをパッキン２１を介して水密状態に接合して、組立を完了する。
【００２４】
本発明排水構造１０は、螺子具１７と排水口具１６の間の螺合箇所へ浸入した排水の移動を、浴槽１２と蓋具１５の間のシール部で阻止して、防水パン１１上への漏水を防止することができる。
【００２５】
本発明排水構造１０は、排水口具１６と螺子具１７の両ネジ部１６ａ−１, １７ａ−１を螺着して緊締したとき、螺子具１７の鍔部１７ｂと浴槽１２の排水口１２ｂの周縁部１２ｃとで蓋具１５の挿通口１５ａの周縁部を挟圧する力の伝達経路が、排水口具１６、螺子具１７、蓋具１５及び浴槽１２で形成される。そのため、本発明排水構造１０は、設置されている浴槽１２に組立中の修正等で位置ズレが若干生じたとしても、上記力の伝達経路の寸法に変化がないため浴槽１２と蓋具１５との間のシール部の水密性を低下させることもなく、確実な止水を確保することができると共に、浴槽１２の位置ズレに相当する寸法だけ蓋具１５の可撓性のある輪状部１５ｃが変形するので、蓋具１５等を破損させような大きな力を蓋具１５等へ伝達させることもない。
【００２６】
本発明排水構造１０は、螺子具１７の鍔部１７ｂと浴槽１２の排水口１２ｂの周縁部１２ｃで蓋具１５の挿通口１５ａの周縁部を直接に挟圧することで、螺子具１７と浴槽１２の排水口１２ｂの周縁部１２ｃとの間に蓋具１５の厚み寸法以上のスペースを形成することもなく、蓋具と浴槽の排水口の周縁部との間に背丈の大きなスペースを形成する従来の構造に比べて上下寸法を短くできる。これにより、建築物の上層階に設置される床下空間での組立てをし易くできる。
【００２７】
本発明排水構造１０は、浴槽１２に取付けられた循環口具（図示省）等からの漏水や、浴槽１２とエプロン１２ｄ（図１参照）の隙間からの水の浸入等で防水パン１１上に水が溜まったとしても、図３に示す如く、排水口具１６と螺子具１７の両ネジ部１６ａ−１, １７ａ−１の緊締を弛めて螺子具１７を下方へ移動させるだけで、防水パン１１上に溜まった水を、浴槽１２の排水口周縁部１２ｃと蓋具１５との隙間、及び蓋具１５の開口部１５ａと排水口具１６の接合用筒部１６ａとの隙間を通じて排水器具１３へ放出できるので、防水パン１１上に溜まった水の除去作業が簡単にできる。
【図面の簡単な説明】
【００２８】
【図１】本発明排水構造の実施の形態を示すものであって、本発明排水構造を備える浴室の要部を示す正面図であって浴槽及び防水パンの一部を断面してある。
【図２】同実施の形態において、主要部を拡大した正面断面図であり、排水口具の雄ネジ部を螺子具の雌ネジ部に緊締した状態を示すものである。
【図３】同実施の形態において、主要部を拡大した正面断面図であり、排水口具の雄ネジ部と螺子具の雌ネジ部との緊締を解除した状態を示すものである。
【図４】同実施の形態において、本発明排水構造を構成する構成部材（上から順に、排水口具、止水パッキン、浴槽、蓋押圧具、蓋具、螺子具、取付具、防水パン、止水パッキン、排水管を備える排水器具）をそれぞれ分離して示した正面断面図である。
【図５】従来の浴槽の排水構造を示すものであって、主要部を拡大して示す正面断面図である。
【符号の説明】
【００２９】
１０…浴槽の排水構造  １１…防水パン  １１ａ…周縁部  １１ｂ…開口部  １２…浴槽
１２ａ…底部  １２ｂ…排水口  １２ｃ…周縁部  １３…排水器具  １３ａ…筒部  
１３ａ−１…雌ネジ部  １３ｂ…鍔部  １４…取付具  １４ａ…筒部
１４ａ−１…雄ネジ部  １４ａ−２…張出片  １４ｂ…雌ネジ部  １４ｃ…鍔部
１５…蓋具  １５ａ…開口部  １６…排水口具  １６ａ…接合用筒部
１６ａ−１…雄ネジ部  １６ｂ…鍔部  １７…螺子具  １７ａ…接合用筒部
１７ａ−１…雌ネジ部  １７ａ−２…係止片  １７ｂ…鍔部  １８…蓋押圧具
１８ａ…開口部  １８ｂ…雄ネジ部  
【図１】
2009293305.tif 000003
【図２】
2009293305.tif 000004
【図３】
2009293305.tif 000005
【図４】
2009293305.tif 000006
【図５】
2009293305.tif 000007